(57)【要約】【課題】燃料電池から排気される排燃料ガスをより適切に燃焼させる。【解決手段】発電することにより排酸化性ガスと排燃料ガスとを排気する燃料電池１１と、その排酸化性ガスより酸素濃度が高い酸素富化ガスを生成する空気分離装置３と、その排酸化性ガスとその酸素富化ガスとを混合することにより生成された混合酸化性ガスを供給する燃焼器用酸化性ガス供給配管３２と、その混合酸化性ガスを用いてその排燃料ガスを燃焼させる燃焼器１４とを備えている。このような燃料電池複合発電装置は、燃料電池１１に酸素を供給する供給量を増加させることなく、燃焼器１４に供給される酸素を増加させることができ、その燃焼器１４がその排燃料ガスを適切に燃焼させることができる。【選択図】図２
2014137978.tif 000002
【特許請求の範囲】
【請求項１】
燃料ガスと酸化性ガスに含まれる酸素とを用いて発電することにより排酸化性ガスと排燃料ガスとを排気する燃料電池と、
前記排酸化性ガスより酸素濃度が高い酸素富化ガスを生成する空気分離装置と、
前記排酸化性ガスと前記酸素富化ガスとを混合することにより生成された前記排酸化性ガスより酸素濃度が高い混合酸化性ガスを供給する燃焼器用酸化性ガス供給配管と、
前記混合酸化性ガスを用いて前記排燃料ガスを燃焼させる燃焼器と、
前記排燃料ガスが燃焼することにより前記燃焼器から排気される燃焼排ガスを用いて動力を生成するガスタービンと
を備える複合発電装置。
【請求項２】
前記動力を用いて圧縮された圧縮ガスを生成する圧縮機と、
前記圧縮ガスを前記燃料電池に供給する燃料電池用酸化性ガス供給配管と
をさらに備える請求項１に記載の複合発電装置。
【請求項３】
前記酸素富化ガスを用いて燃料をガス化させることにより前記燃料ガスを生成するガス化炉を備える請求項１または請求項２に記載の複合発電装置。
【請求項４】
前記混合酸化性ガスを前記燃料電池用酸化性ガス供給配管に供給するリサイクル配管をさらに備え、
前記燃料電池用酸化性ガス供給配管は、前記混合酸化性ガスと前記圧縮ガスとを混合することにより酸化性ガスを生成し、
前記燃料電池は、前記酸化性ガスに含有される酸素を用いて発電する請求項２または請求項３に記載の複合発電装置。
【請求項５】
前記空気分離装置は、前記圧縮ガスから前記酸素富化ガスを生成する請求項２から請求項４のうちのいずれか一項に記載される複合発電装置。
【請求項６】
前記燃焼器は、触媒燃焼により前記排燃料ガスを燃焼させる請求項１から請求項５のうちのいずれか一項に記載される複合発電装置。
【請求項７】
燃料ガスと酸素とを用いて発電する燃料電池から排気される排酸化性ガスと、前記排酸化性ガスより酸素濃度が高い酸化性ガスとが混合された混合酸化性ガスを生成すること、
前記混合酸化性ガスを用いて、前記燃料電池から排気される排燃料ガスを燃焼させること
とを備える複合発電方法。
【発明の詳細な説明】
【技術分野】
【０００１】
本発明は、燃料電池を用いた複合発電装置および複合発電方法に関し、特に、燃料電池から排気される排燃料ガスを燃焼させて利用する燃料電池を用いた複合発電装置および複合発電方法に関する。
【背景技術】
【０００２】
燃料電池を用いた複合発電装置は、例えば燃料電池から排気される排燃料ガスを燃焼させて利用する石炭ガス化燃料電池複合発電技術（ＩＧＦＣ、Ｉｎｔｅｇｒａｔｅｄ  Ｃｏａｌ  Ｇａｓｉｆｉｃａｔｉｏｎ  Ｆｕｅｌ  Ｃｅｌｌ  Ｃｏｍｂｉｎｅｄ  Ｃｙｃｌｅ）が知られている。その石炭ガス化燃料電池複合発電技術が適用された装置は、石炭ガス化炉と燃料電池とガスタービンと蒸気タービンと発電機とを備えている。その石炭ガス化炉は、石炭をガス化することにより燃料ガスを生成する。その燃料電池は、その燃料ガス中の水素（Ｈ２）、一酸化炭素（ＣＯ）等可燃性ガスの一部と空気、酸素富化空気等、酸素含有ガス中の酸素の一部とを用いて発電し、残存可燃性成分を有する排燃料ガスと残存酸素成分を有する排酸化性ガスとを排気する。そのガスタービン設備は、その排燃料ガスと排酸化性ガスを燃焼させることにより高温・高圧の燃焼排ガスを生成し、回転動力を生成する。その蒸気タービン設備は、その燃焼排ガスの熱を用いて生成された高圧の蒸気を用いて回転動力を生成する。その発電機は、そのガスタービン設備とその蒸気タービン設備とにより生成された回転動力を用いて発電する（特許文献１、２参照）。
【先行技術文献】
【特許文献】
【０００３】
【特許文献１】特開平９−１９０８３０号公報
【特許文献２】特開平４−６５０６６号公報
【発明の概要】
【発明が解決しようとする課題】
【０００４】
このような石炭ガス化燃料電池複合発電技術は、燃料電池での発電により排酸化性ガスの酸素濃度が低下し、燃料電池の排燃料ガスの燃焼性が低下することから、運転性が悪化する他、石炭からエネルギーを取り出すプラント発電効率が低下することがある。
【０００５】
本発明の課題は、燃料電池から排気される排燃料ガスをより適切に燃焼させる燃料電池を用いた複合発電装置および複合発電方法を提供することにある。
【課題を解決するための手段】
【０００６】
本発明による燃料電池を用いた複合発電装置は、燃料電池と空気分離装置と燃焼器用酸化性ガス供給配管と燃焼器とを備えている。燃料電池は、燃料ガスと酸素とを用いて発電することにより排酸化性ガスと排燃料ガスとを排気する。空気分離装置は、ガス中酸素純度が例えば９０ｖｏｌ％以上の排酸化性ガスより酸素濃度が高い酸素富化ガスを生成する。燃焼器用酸化性ガス供給配管は、その排酸化性ガスとその酸素富化ガスとを混合することにより生成された混合酸化性ガスを輸送し供給する。燃焼器は、その混合酸化性ガスを用いてその排燃料ガスを燃焼させる。
【０００７】
このような燃料電池を用いた複合発電装置は、燃料電池の運転状態とは関係なく（運転状態に影響を受けることなく、独立に）、燃焼器に供給される酸素を増加させることができ、その燃焼器がその排燃料ガスを適切に燃焼させることができる。
【０００８】
本発明による燃料電池を用いた複合発電装置は、その排燃料ガスが燃焼することによりその燃焼器から排気される燃焼排ガスを用いて動力を生成するガスタービンと、その動力を用いて圧縮された圧縮ガスを生成する圧縮機と、その圧縮ガスをその燃料電池に供給する燃料電池用酸化性ガス供給配管とをさらに備えている。
【０００９】
このような燃料電池を用いた複合発電装置は、燃焼排ガスを用いることにより、燃料ガスからより高効率にエネルギーを取り出すことができる。
【００１０】
本発明による燃料電池を用いた複合発電装置は、その混合酸化性ガスをその燃料電池用酸化性ガス供給配管に供給するリサイクル配管をさらに備えている。その燃料電池用酸化性ガス供給配管は、その混合酸化性ガスとその圧縮ガスとを混合することにより酸化性ガスを生成する。このとき、その燃料電池は、その酸化性ガスに含有される酸素を用いて発電する。
【００１１】
このような燃料電池を用いた複合発電装置は、圧縮ガスだけを燃料電池に供給することに比較して、燃料電池に供給される酸素を増加させることができ、燃料電池がより高効率に発電することができる。
【００１２】
その空気分離装置は、その圧縮ガスからその酸素富化ガスを生成してもよい。
【００１３】
このような燃料電池を用いた複合発電装置は、圧縮ガスから酸素富化ガスを生成することにより、空気分離装置が備える圧縮ガス生成過程を省略することができ酸素富化ガスをより容易に生成することができる。
【００１４】
その燃焼器は、触媒燃焼によりその排燃料ガスを燃焼させてもよい。
【００１５】
このような燃料電池を用いた複合発電装置は、燃焼器に供給される酸素が少ない場合でも、その燃焼器が排燃料ガスを適切に燃焼させることができる。
【００１６】
本発明による複合発電装置は、上述による燃料電池を用いた複合発電装置と、その酸素富化ガスを用いて燃料をガス化させることによりその燃料ガスを生成するガス化炉とを備えている。
【００１７】
このようにガス化炉を備えた複合発電技術は、燃料電池を用いた複合発電装置がより高効率にエネルギーを生成できることにより、燃料からより高効率にエネルギーを取り出すことができる。さらに、このような燃料電池を用いた複合発電装置は、ガス化炉を備えた複合発電技術に適用されることにより、燃料をガス化させることに利用される酸素富化ガスを用いて、燃焼器に供給される混合酸化性ガス中の酸素をより容易に増加させることができる。
【００１８】
本発明による燃料電池を用いた複合発電方法は、燃料ガスと酸素とを用いて発電する燃料電池から排気される排酸化性ガスとその排酸化性ガスより酸素濃度が高い酸化性ガスとが混合された混合酸化性ガスを生成すること、その混合酸化性ガスを用いて、その燃料電池から排気される排燃料ガスを燃焼させることとを備えている。
【００１９】
このような燃料電池を用いた複合発電方法は、燃料電池の運転状態とは関係なく（運転状態に影響を受けることなく、独立に）、燃焼器に供給される酸素を増加させることができ、その燃焼器がその排燃料ガスを適切に燃焼させることができる。
【発明の効果】
【００２０】
本発明による燃料電池を用いた複合発電装置および燃料電池を用いた複合発電方法は、燃料電池から排気される排燃料ガスをより適切に燃焼させることができる。
【図面の簡単な説明】
【００２１】
【図１】複合発電装置を示す概略構成図である。
【図２】燃料電池を用いた複合発電装置を示す概略構成図である。
【図３】他の燃料電池を用いた複合発電装置を示す概略構成図である。
【発明を実施するための形態】
【００２２】
図面を参照して、燃料電池を用いた複合発電装置の実施の形態が以下に記載される。その燃料電池１１を用いた複合発電装置１は、図１に示されているように、複合発電装置１０に適用されている。複合発電装置１０は、燃料電池を用いた複合発電装置１の他に、ガス化炉２と空気分離装置３とを備えている。
【００２３】
ガス化炉２は、外部から供給される石炭と空気分離装置３から供給される酸素富化ガスを用いて燃料ガスを生成する。酸素富化ガスの酸素濃度は少なくとももとの空気の酸素濃度より高く、例えば９０ｖｏｌ％以上である。すなわち、ガス化炉２は、ガス化炉本体５と熱交換器６と脱塵装置７と脱硫装置８とを備えている。ガス化炉本体５は、空気分離装置３から供給される酸素富化ガスを用いて石炭を還元雰囲気下で部分酸化させることにより、生成ガスを生成する。熱交換器６は、ガス化炉本体５により生成された生成ガスを冷却することにより、冷却後生成ガスを生成する。熱交換器６は、さらに、ガス化炉本体５により生成された生成ガスの熱を用いて、外部から供給される水を加熱することにより、水蒸気を生成する。
【００２４】
脱塵装置７は、熱交換器６により生成された冷却後生成ガスを脱塵することにより、脱塵後生成ガスを生成する。脱硫装置８は、脱塵装置７により生成された脱塵後生成ガスを脱硫することにより、脱硫後生成ガスを生成する。その脱硫後生成ガスは、ガス化炉２により生成される燃料ガスに一致している。
【００２５】
燃料電池１１を用いた複合発電装置１は、ガス化炉２により生成された燃料ガスが供給されることにより、燃料電池１１及びガスタービン１５で発電すると同時に、圧縮機１７にて大気吸込みの空気より圧縮ガスを生成する。
【００２６】
空気分離装置３は、燃料電池１１を用いた複合発電装置１により生成された圧縮ガスもしくは別置の空気圧縮機からの空気を冷却液化して蒸留することにより、酸素富化ガスを生成する。その酸素富化ガスが酸素を含有する酸素濃度は、その圧縮ガスが酸素を含有する酸素濃度より大きい。
【００２７】
燃料電池１１を用いた複合発電装置１は、燃料電池１１とインバータ１２と燃焼器１４とガスタービン１５と発電機１６と圧縮機１７とを備えている。インバータ１２は、燃料電池１１により発電された直流電力を交流電力に変換する。発電機１６は、ガスタービン１５により生成された回転動力を用いて発電する。
【００２８】
燃料電池１１を用いた複合発電装置１は、さらに、排熱回収ボイラ２１と蒸気タービン２２と発電機２３と復水器２４とポンプ２５とを備えている。排熱回収ボイラ２１は、ガスタービン１５から排気される燃焼排ガスの熱を用いて、ポンプ２５から供給される水を加熱することにより、高温高圧の水蒸気を生成する。蒸気タービン２２は、排熱回収ボイラ２１により生成された水蒸気と石炭ガス化炉２の熱交換器６により生成された水蒸気とを用いて回転動力を生成する。発電機２３は、蒸気タービン２２により生成された回転動力を用いて発電する。復水器２４は、蒸気タービン２２から排気された水蒸気を凝縮させることにより、水を生成する。ポンプ２５は、復水器２４により生成された水を石炭ガス化炉２の熱交換器６と排熱回収ボイラ２１とに供給する。
【００２９】
燃料電池１１を用いた複合発電装置１は、図２に示されるように、さらに、燃料電池用圧縮機３１と燃焼器用酸化性ガス供給配管３２と燃料電池用酸化性ガス供給配管３３とを備えている。燃料電池１１は、固体酸化物形燃料電池（Ｓｏｌｉｄ  Ｏｘｉｄｅ  Ｆｕｅｌ  Ｃｅｌｌ，ＳＯＦＣ）から形成されている。燃料電池１１は、ガス化炉２により生成された燃料ガスと燃料電池用圧縮機３１から供給される燃料電池用酸化性ガスとを用いて発電し、排燃料ガスと排酸化性ガスとを排気する。その排酸化性ガスの酸素濃度は、燃料電池用酸化性ガスが酸素を含有する酸素濃度より小さく、燃料電池用酸化性ガスの酸素濃度の約５０％〜９０％の範囲にある。
【００３０】
燃焼器用酸化性ガス供給配管３２は、空気分離装置３と燃料電池１１とを燃焼器１４に接続する流路を形成している。燃焼器用酸化性ガス供給配管３２は、燃料電池１１から排気される排酸化性ガスと空気分離装置３により生成される酸素富化ガスとを混合することにより生成された燃焼器用酸化性ガスを供給する。排酸化性ガスと酸素富化ガスとを混合による燃焼器用酸化性ガスの生成は、燃焼器用酸化性ガス供給配管３２内で行ってもよいし、別途に図示しない混合器で混合後に燃焼器用酸化性ガス供給配管３２に導通してもよい。燃焼器１４での高温高圧の燃焼排ガスは、燃焼器用酸化性ガスを用いて、燃料電池１１により排気された排燃料ガスを燃焼させることにより、燃焼排ガスを生成する。
【００３１】
ガスタービン１５は、燃焼器１４により生成された燃焼排ガスを用いて、回転動力を生成する。圧縮機１７は、ガスタービン１５により生成された回転動力を用いて空気を圧縮することにより、圧縮ガスを生成する。圧縮機１７により生成された圧縮ガスは、燃料電池１１を用いた複合発電装置１により生成された圧縮ガスに一致し、空気分離装置３に供給されてもよい。
【００３２】
燃料電池用酸化性ガス供給配管３３は、圧縮機１７を燃料電池用圧縮機３１に接続する流路を形成している。燃料電池用酸化性ガス供給配管３３は、圧縮機１７により生成された圧縮ガスを燃料電池用圧縮機３１に供給する。燃料電池用圧縮機３１は、燃料電池用酸化性ガス供給配管３３から供給された圧縮ガスをさらに圧縮することにより、燃料電池用酸化性ガスを生成する。
【００３３】
ガス化炉２を備えた複合発電装置１０が実行する動作は、燃料ガスを生成する動作と、燃料電池を用いた複合発電方法を実行する動作とを備えている。
【００３４】
その燃料ガスを生成する動作は、ガス化炉２により実行される。まず、ガス化炉本体５は、空気分離装置３から供給される酸素富化ガスを用いて微粉炭を還元雰囲気下で部分酸化させることにより、生成ガスを生成する。熱交換器６は、ガス化炉本体５により生成された生成ガスを冷却することにより、冷却後生成ガスを生成する。熱交換器６は、さらに、ガス化炉本体５により生成された生成ガスの熱を用いて、ポンプ２５から供給される水を加熱することにより、水蒸気を生成する。脱塵装置７は、熱交換器６により生成された冷却後生成ガスを脱塵することにより、脱塵後生成ガスを生成する。脱硫装置８は、脱塵装置７により生成された脱塵後生成ガスを脱硫することにより、燃料ガスを生成する。
【００３５】
その複合発電方法は、燃料電池１１を用いた複合発電装置１により実行される。燃料電池１１は、ガス化炉２により生成された生成ガスと燃料電池用圧縮機３１から供給される燃料電池用酸化性ガスとを用いて直流電力を発電し、排燃料ガスと排酸化性ガスとを排気する。インバータ１２は、燃料電池１１により発電された直流電力を交流電力に変換する。燃焼器用酸化性ガス供給配管３２は、燃料電池１１から排気される排酸化性ガスと空気分離装置３により生成される酸素富化ガスとを混合することにより生成された燃焼器用酸化性ガスを供給する。排酸化性ガスと酸素富化ガスとを混合による燃焼器用酸化性ガスの生成は、燃焼器用酸化性ガス供給配管３２内で行ってもよいし、別途に図示しない混合器で混合後に燃焼器用酸化性ガス供給配管３２に導通してもよい。燃焼器１４は、燃焼器用酸化性ガス供給配管３２により供給された燃焼器用酸化性ガスを用いて、燃料電池１１により排気された排燃料ガスを燃焼させることにより、高温高圧の燃焼排ガスを生成する。
【００３６】
ガスタービン１５は、燃焼器１４により生成された燃焼排ガスを用いて、回転動力を生成する。発電機１６は、ガスタービン１５により生成された回転動力を用いて発電する。圧縮機１７は、ガスタービン１５により生成された回転動力を用いて空気を圧縮することにより、圧縮ガスを生成する。
【００３７】
燃料電池用酸化性ガス供給配管３３は、圧縮機１７により生成された圧縮ガスを燃料電池用圧縮機３１に供給する。燃料電池用圧縮機３１は、圧縮機１７により生成された圧縮ガスをさらに圧縮することにより、燃料電池用酸化性ガスを生成する。
【００３８】
排熱回収ボイラ２１は、ガスタービン１５から排気される燃焼排ガスの熱を用いて、ポンプ２５から供給される水を加熱することにより、高温高圧の水蒸気を生成する。蒸気タービン２２は、排熱回収ボイラ２１により生成された水蒸気とガス化炉２の熱交換器６により生成された水蒸気とを用いて回転動力を生成する。発電機２３は、蒸気タービン２２により生成された回転動力を用いて発電する。復水器２４は、蒸気タービン２２から排気された水蒸気を凝縮させることにより、水を生成する。ポンプ２５は、復水器２４により生成された水をガス化炉２の熱交換器６と排熱回収ボイラ２１とに供給する。
【００３９】
このような燃料電池複合発電方法によれば、燃焼器１４は、燃料電池１１により排気される排酸化性ガスのみを用いて燃料電池１１により排気される排燃料ガスを燃焼させる他の燃焼器に比較して、酸素がより多く供給され、その排燃料ガスをより確実に燃焼することができる。このため、燃料電池複合発電装置１は、その燃料ガスをより高効率にエネルギー（電力）に変換することができる。
【００４０】
燃焼器１４に酸素が供給される供給量は、燃料電池１１に燃料電池用酸化性ガスを供給する流量を増加させることにより、増加させることができる。しかしながらこのとき、燃料電池１１は、排酸化性ガスを排気する排気量が増加し、燃焼器１４は、燃焼排ガスを排気する排気量が増加する。ガスタービン１５は、その燃焼排ガスの量がガスタービンの設計最大風量以上とならぬよう燃焼排ガス量の上限が定められており、回転動力を適切に生成することができないことがある。
【００４１】
一方、このような複合発電方法によれば、燃焼器１４に燃焼器用酸化性ガスが供給される流量が増加する増加率は、燃焼器１４に供給される酸素が増加する増加率に比較して、小さい。このため、燃料電池複合発電装置１は、ガスタービン１５に供給される燃焼排ガスが設計最大風量以上に増加することが防止され、ガスタービン１５がより適切に回転動力を生成することができる。
【００４２】
複合発電装置１０は、燃料電池１１を用いた複合発電装置１を備えることにより、石炭からより高効率にエネルギーを取り出すことができる。燃料電池１１を用いた複合発電装置１は、複合発電装置１０に適用されることにより、複合発電装置１０が備える装置を利用することができる。このため、燃料電池１１を用いた複合発電装置１は、複合発電装置１０が備える空気分離装置３を利用することにより、燃焼器１４に供給される酸素をより容易に増加させることができる。燃料電池１１を用いた複合発電装置１は、さらに、燃焼器用酸化性ガス供給配管３２に供給される酸素富化ガスを生成する空気分離装置３と別個に設ける必要がなく、その空気分離装置３を別個に備える他の燃料電池を用いた複合発電装置に比較して、より容易に作製されることができる。
【００４３】
なお、燃料電池１１を用いた複合発電装置１は、複合発電装置１０に適用されないで、単独で使用されることができる。このとき、燃料電池１１を用いた複合発電装置１は、空気分離装置３と燃料電池１１に燃料ガスを供給する燃料ガス供給装置とを備えている。燃料電池１１を用いた複合発電装置１は、単独で使用される場合も、同様にして、燃料電池１１から排気される排燃料ガスをより確実に燃焼することができ、その燃料ガスをより高効率にエネルギーに変換することができる。
【００４４】
なお、燃料電池１１を用いた複合発電装置１は、弁とセンサと制御装置とをさらに備えることもできる。その弁は、空気分離装置３と燃焼器用酸化性ガス供給配管３２とを接続する流路に設けられ、燃焼器用酸化性ガス供給配管３２に酸素富化ガスが供給される量を増減する。そのセンサは、ガスタービン１５の温度を測定する。その制御装置は、その温度に基づいて最適供給量を算出し、燃焼器用酸化性ガス供給配管３２に酸素が単位時間あたりに供給される供給量がその最適供給量に等しくなるように、その弁をフィードバック制御する。
【００４５】
このような燃料電池１１を用いた複合発電装置１は、燃焼器１４からガスタービン１５に供給される燃焼排ガスの量をより適切に増減させることができ、ガスタービン１５に回転動力をより適切に生成させることができる。このような燃料電池複合発電装置は、さらに、その酸素富化ガスをその燃料電池用酸化性ガスに混合して燃料電池１１に供給する他の燃料電池複合発電装置に比較して、燃焼器１４からガスタービン１５に供給される燃焼排ガスの量をより高速に増減させることができる。
【００４６】
燃料電池１１を用いた複合発電装置１は、さらに、ガスタービン１５を省略してもよい。圧縮機１７は、他の動力を用いて圧縮ガスを生成する。このような燃料電池１１を用いた複合発電装置１も、既述の実施の形態における燃料電池１１を用いた複合発電装置１と同様にして、その排燃料ガスをより確実に燃焼することができる。
【００４７】
なお、燃焼器１４は、燃料電池１１から排気される排燃料ガスを触媒燃焼により燃焼させる触媒燃焼器に置換してもよい。このような触媒燃焼器が適用される燃料電池１１を用いた複合発電装置１は、既述の実施の形態における燃料電池１１を用いた複合発電装置１に比較して、燃料電池１１から排気される排燃料ガスをより確実に燃焼することができる。
【００４８】
燃料電池を用いた複合発電装置の実施の他の形態は、既述の実施の形態における燃料電池１１を用いた複合発電装置１がリサイクル配管をさらに備えている。リサイクル配管４１は、燃焼器用酸化性ガス供給配管３２のうちの分岐点４２を燃料電池用酸化性ガス供給配管３３に接続する流路を形成している。分岐点４２は、空気分離装置３により生成された酸素富化ガスが燃焼器用酸化性ガス供給配管３２に供給される合流点４３より燃焼器１４の側に形成されている。リサイクル配管４１は、燃焼器用酸化性ガス供給配管３２により供給される燃焼器用酸化性ガスを燃料電池用酸化性ガス供給配管３３に供給する。その燃焼器用酸化性ガスは、燃料電池１１から排気される排酸化性ガスと空気分離装置３により生成される酸素富化ガスとが混合されることにより、生成される。
【００４９】
このとき、燃料電池用酸化性ガス供給配管３３は、リサイクル配管４１から供給される燃焼器用酸化性ガスと圧縮機１７により生成された圧縮ガスとを混合することにより、燃料電池用酸化性ガスを生成する。燃料電池用圧縮機３１は、燃料電池用酸化性ガス供給配管３３から供給された燃料電池用酸化性ガスを圧縮する。燃料電池１１は、ガス化炉２により生成された燃焼ガスと燃料電池用圧縮機３１により圧縮された燃料電池用酸化性ガスとを用いて発電する。
【００５０】
リサイクル配管４１が適用された燃料電池１１を用いた複合発電装置１は、既述の実施の形態における燃料電池１１を用いた複合発電装置１と同様にして、燃料電池１１から排気される排燃料ガスを燃焼器１４がより確実に燃焼させることができ、ガスタービン１５がより適切に回転動力を生成することができる。
【００５１】
このような燃料電池１１を用いた複合発電装置１は、さらに、既述の実施の形態における燃料電池１１を用いた複合発電装置１に比較して、燃料電池１１に酸素が供給される量をより大きくすることができる。その結果、このような燃料電池１１を用いた複合発電装置１は、燃料電池１１がより高効率に発電することができる。
【符号の説明】
【００５２】
１  ：燃料電池を用いた複合発電装置
２  ：ガス化炉
３  ：空気分離装置
１０：複合発電装置
１１：燃料電池
１４：燃焼器
１５：ガスタービン
３２：燃焼器用酸化性ガス供給配管
３３：燃料電池用酸化性ガス供給配管
４１：リサイクル配管
【図１】
2014137978.tif 000003
【図２】
2014137978.tif 000004
【図３】
2014137978.tif 000005